(57)【要約】      （修正有）【課題】シートの展開も除去も容易な園芸用トンネルを提供する。【解決手段】園芸用トンネル１は、複数本の略半円形に湾曲した支持梁２Ａ、２Ｂ、２Ｃを互いにパンタグラフ３で連結していることを特徴とする。パンタグラフ３で連結された複数本の支持梁２Ａ、２Ｂ、２Ｃは伸縮自在であるので、収縮させて野菜等に水やりを行い、終われば伸長させることで元の展開の状態に復帰させることができる。このようにトンネルの展張が自由に行えるので、シート裾の土かぶせ等の筋肉労働の必要がなくなる。複数台の園芸用トンネル１を連設させることで、長い畝に園芸用トンネル１を設置できるので、利用場面が多くなる。【選択図】図１
0003176922.tif 000002
【実用新案登録請求の範囲】
【請求項１】
複数本の略半円形に湾曲した支持梁を互いにパンタグラフで連結している
ことを特徴とする園芸用トンネル。
【請求項２】
前記支持梁は、園芸用のトンネルの両端部に取付けられる端部支持梁とトンネルの中間部に用いられる中間支持梁を含み、前記端部支持梁の足の長さは前記中間支持梁の足の長さよりも長い
ことを特徴とする請求項１記載の園芸用トンネル。
【請求項３】
前記園芸用トンネルが複数台のトンネルユニットからなり、各トンネルユニットが連結梁で着脱自在に連結されている
ことを特徴とする園芸用トンネル設備。
【考案の詳細な説明】
【技術分野】
【０００１】
本考案は、園芸用トンネルに関する。
【背景技術】
【０００２】
園芸用トンネルの従来例（特許文献１）は図５に示すように、野菜等を植えた畝Ｆごとに複数本の湾曲した支持梁５１を数１０ｃｍ間隔で差し込み、支持梁５１に寒冷紗や防虫ネット、ビニールシート（以下、シート５２という）を被せている。シート５２は強い日差しを遮ったり風雪から野菜等を守るために用いられる。
【０００３】
しかるに、シート５２は支持梁５１にひもでくくりつける等の手段で固定されるが、シート５２の裾の部分は畑の土Ｓを被せて風で飛ばないようにされている。
しかし、野菜等には毎日の水やりや肥料散布、草抜き等の手入れは欠かせないので、毎日、土Ｓをのけてはシート５２を取り除き、水やり等の世話をしては再びシート５２を支持梁５１に被せ、シート５２の裾に土Ｓをのせて風で飛ばないようにするという作業が必要である。
しかるに、この作業は中腰になっての筋肉労働であるので、腰痛を起しやすく、中高年者には過酷である。
【先行技術文献】
【特許文献】
【０００４】
【特許文献１】特開平８−１９６１５３号公報
【考案の概要】
【考案が解決しようとする課題】
【０００５】
本考案は上記事情に鑑み、シートの展開も除去も容易な園芸用トンネルを提供することを目的とする。
【課題を解決するための手段】
【０００６】
第１考案の園芸用トンネルは、複数本の略半円形に湾曲した支持梁を互いにパンタグラフで連結していることを特徴とする。
第２考案の園芸用トンネル設備は、前記支持梁が、園芸用のトンネルの端部に取付けられる端部支持梁と中間部に用いられる中間支持梁を含み、前記端部支持梁の足の長さは前記中間支持梁の足の長さよりも長いことを特徴とする。  
第３考案の園芸用トンネル設備は、前記園芸用トンネルが複数台のトンネルユニットからなり、各トンネルユニットが連結梁で着脱自在に連結されていることを特徴とする。
【０００７】
第１考案によれば、パンタグラフで連結された複数本の支持梁は伸縮自在であるので、収縮させて野菜等に水やり等の世話を行い、終われば伸長させることで元の展開の状態に復帰させることができる。このようにトンネルの展張が自由に行えるので、シート裾の土かぶせ等の筋肉労働の必要がなくなる。
第２考案によれば、足の長い端部支持梁の足を土中に突き差すことで園芸用トンネルを地面に固定でき、中間支持梁の足は地面上に置くだけでよいので、園芸用トンネルの伸長・伸縮が容易に行える。
第３考案によれば、複数台のトンネルユニットを連結梁で連設することで、長い畝用の園芸用トンネルを構築できるので、利用場面が多くなる。
【図面の簡単な説明】
【０００８】
【図１】本考案の一実施形態に係る園芸用トンネルの側面図である。
【図２】（Ａ）は端部支持梁の正面図、（Ｂ）は中間支持梁の正面図である。
【図３】図１の園芸用トンネルを縮小した状態の側面図である。
【図４】図１の園芸用トンネルの正面図である。
【図５】従来の園芸用トンネルの斜視図である。
【考案を実施するための形態】
【０００９】
つぎに、本考案の実施形態を図面に基づき説明する。
図１に示す園芸用トンネル１は４個のトンネルユニット１Ａ、１Ｂ、１Ｃ、１Ｄを連結したものである。このトンネルユニットの連設個数は畝の長さに応じて決めればよく、４個未満でも、４個より多くてもよい。
【００１０】
各トンネルユニット１Ａ〜１Ｄは、図２に示すように半円形ないし逆Ｕ字形に湾曲した支持梁２を用いて構成される。実用新案登録請求の範囲にいう略半円形とは、半円形ないし逆Ｕ字形を含む概念である。
【００１１】
支持梁２には、端部支持梁２Ａと中間支持梁２Ｂと連結梁２Ｃとがある。
端部支持梁２Ａは、図１および図２（Ａ）に示すように、２本の梁を組合わせた幅広の梁であり、半円梁２１とその両端に接続された足２２からなる。足２２は土中に突き刺すため足の長さが長くなっている。このため、３０ｍｍ位を土中に差し込むことが可能である。
中間支持梁２Ｂは、図１および図２（Ｂ）に示すように１本の梁を湾曲させたものであり、これも半円梁２１とその両端に接続された足２３からなる。足２３は土中には突き刺さず地面上に置くため少し短めである。
【００１２】
連結梁２Ｃは、図１に示すように、２本の梁を用いているが、その幅は狭く、形状と足の長さは中間支持梁２Ｂと同じである。この連結梁２Ｃは複数のトンネルユニットを互いに結合するものであり、図示の実施形態では３本用いられている。また、各連結梁２Ｃの下端には、ソリ４が取付けられている。このソリ４は、各トンネルユニットを収縮展張させるとき、地面上を滑らかにすべらせ、作業を容易にするために設けられている。
【００１３】
上記の構造であると、足の長い端部支持梁２Ａの足を土中に突き刺すことで園芸用トンネルを地面に固定でき、中間支持梁２Ｂの足は地面上に置くだけでよいので、園芸用トンネルの伸長・伸縮が容易に行える。
【００１４】
図１および図２（Ｂ）に示すように、各支持梁２Ａ、２Ｂ、２Ｃの間における足２２、２３の内面にはパンタグラフ３が連結されている。パンタグラフ３はＸ字形のリンクを多数連結した公知のものである。
【００１５】
以上のように構成された園芸用トンネルは、図１に示すように長くのばして展張することもできるし、図３に示すように短く収縮させることもできる。図３はトンネルユニット１Ａを収縮させ、トンネルユニット１Ｂを伸長したままにした状態を示している。
【００１６】
図４に示すように、上記構造の各トンネルユニット１Ａ〜１Ｄのそれぞれには、外表面（上面と両側面）を覆うシート５とトンネル端面を覆うシート６が取付けられる。シート５、６の取付け方は、各支持梁にひもでしばったり、フックで止めたり任意である。図４では、フック７で挟んで固定した状態を示している。また、トンネル前後の端部支持梁２Ａの端面に取付けたシート６には、開閉用の２本のファスナー８、８を設けたものが用いられるが、その端面シートの開閉の仕方なども任意であり、どのようなものを用いてもよい。
【００１７】
また、トンネルの外表面を覆うシート５の裾は、中間支持梁２Ｂや連結梁２Ｃの長さに裾として５０ｍｍ〜９０ｍｍ、好ましくは７０ｍｍ位を加えた長さとするのがよい。この裾には土を被せることはしないが、裾が垂れていることにより、風のトンネル内への吹き込みを防止できるからである。
なお、シート５、６には、ビニールシートや寒冷紗など任意のものを用いることができる。
【００１８】
つぎに、本考案の園芸用トンネル１の使用方法を説明する。
通常の状態では、園芸用トンネル１は伸長され、両端の端部支持梁２Ａの足２２を土中に突き刺し、中間支持梁２Ｂと連結梁２Ｃの足２３は土の表面に置かれる。この状態で、園芸用トンネル１は、両端の端部支持梁２Ａで地面に固定され多少の風で飛ぶことはない。なお、トンネルの地面への固定をより強固にするためには、端面支持梁２Ａの足２２の近辺に杭９を打ち込み、フック７と杭９との間を適宜のバンド１１やロープやバックルでくくりつけておくとよい。
【００１９】
水やり等の世話のために園芸用トンネル１を収縮させるときは、端部支持梁２Ａを持ち上げて地中から足２２を抜き、トンネルユニット１Ｂの方に寄せていくと、パンタグラフ３が収縮して、図３に示す収縮状態となる。このとき、中間部の各トンネルユニットはソリ４で地表面を滑らせることができ、地面に連結梁２Ｃが突っかかることはない。そして、このような収縮状態では、畝Ｆが露出するので、容易に水やり等の世話ができる。
【００２０】
このようにして、順次にトンネルユニット１Ａ〜１Ｄを収縮させて水やり等の世話を行い、全ての作業を終えれば、再び図１のように展張させ、端部支持梁２Ａの足２２を土中に突き刺し固定すればよい。そして、シートは各支持梁２Ａ、２Ｂ、２Ｃに取付けられているので、水やり時に土を除いたり、再び盛り付ける必要はない。このため、労働者の腰痛等を防止できる。
【００２１】
本考案は図示の実施形態に限られない。たとえば、パンタグラフ３を用いて伸長、収縮可能であれば、支持梁２の形状やシートの種類などに拘らず、本考案に含まれる。
【符号の説明】
【００２２】
１    園芸用トンネル
２    支持梁
２Ａ  端部支持梁
２Ｂ  中間支持梁
２Ｃ  連結梁
３    パンタグラフ
【図１】
0003176922.tif 000003
【図２】
0003176922.tif 000004
【図３】
0003176922.tif 000005
【図４】
0003176922.tif 000006
【図５】
0003176922.tif 000007
【手続補正書】
【提出日】平成24年5月7日(2012.5.7)
【手続補正１】
【補正対象書類名】実用新案登録請求の範囲
【補正対象項目名】全文
【補正方法】変更
【補正の内容】
【実用新案登録請求の範囲】
【請求項１】
複数本の略半円形に湾曲した支持梁を互いにパンタグラフで連結している
ことを特徴とする園芸用トンネル。
【請求項２】
前記支持梁は、前記園芸用トンネルの両端部に取付けられる端部支持梁と前記園芸用トンネルの中間部に用いられる中間支持梁を含み、前記端部支持梁の足の長さは前記中間支持梁の足の長さよりも長い
ことを特徴とする請求項１記載の園芸用トンネル。
【請求項３】
前記園芸用トンネルが複数台のトンネルユニットからなり、各トンネルユニットが連結梁で着脱自在に連結されている
ことを特徴とする請求項１または２記載の園芸用トンネル。
【手続補正２】
【補正対象書類名】明細書
【補正対象項目名】０００６
【補正方法】変更
【補正の内容】
【０００６】
第１考案の園芸用トンネルは、複数本の略半円形に湾曲した支持梁を互いにパンタグラフで連結していることを特徴とする。
第２考案の園芸用トンネル設備は、前記支持梁が、前記園芸用トンネルの端部に取付けられる端部支持梁と前記園芸用トンネルの中間部に用いられる中間支持梁を含み、前記端部支持梁の足の長さは前記中間支持梁の足の長さよりも長いことを特徴とする。  
第３考案の園芸用トンネルは、第１または第２考案の園芸用トンネルが複数台のトンネルユニットからなり、各トンネルユニットが連結梁で着脱自在に連結されていることを特徴とする。